(57)【要約】【課題】電子機器のアダプタを含めた携帯性を向上させる。【解決手段】携帯型情報処理装置１が備える拡張ベイ５に装着可能なＡＣアダプタ１０を構成する。携帯型情報処理装置１の拡張ベイ５にそのＡＣアダプタ１０を装着し、携帯型情報処理装置１のデータ処理部２や標準搭載二次電池３にＤＣ電源を供給する。ＡＣアダプタ１０を拡張ベイ５に装着することができるため、ＡＣアダプタ１０を一緒に携帯するような場合における、携帯型情報処理装置１のＡＣアダプタ１０を含めたその携帯性を向上させることができるようになる。【選択図】図６
2007264915.tif 000002
【特許請求の範囲】
【請求項１】
電子機器に外部から電源を供給するためのアダプタにおいて、
前記電子機器が備える拡張ベイに装着可能であることを特徴とするアダプタ。
【請求項２】
前記アダプタは、前記拡張ベイに装着可能な他の装置と同一構成の接続端子を有していることを特徴とする請求項１記載のアダプタ。
【請求項３】
拡張ベイを備えた電子機器において、
前記拡張ベイに装着可能なアダプタが接続されて外部から電源が供給されることを特徴とする電子機器。
【請求項４】
前記アダプタは、前記拡張ベイに脱着可能であって、前記アダプタが前記拡張ベイに装着されて外部から電源が供給されることを特徴とする請求項３記載の電子機器。
【請求項５】
前記拡張ベイ外に前記アダプタが接続可能な入力端子を備え、
前記入力端子に前記アダプタが接続されて外部から電源が供給されることを特徴とする請求項３記載の電子機器。
【発明の詳細な説明】
【技術分野】
【０００１】
本発明はアダプタおよび電子機器に関し、特に、携帯型情報処理装置等の電子機器に用いられるアダプタ、およびそのようなアダプタを用いる電子機器に関する。
【背景技術】
【０００２】
ノート型パーソナルコンピュータ（ノートパソコン）等の携帯型情報処理装置は、これまで小型・軽量化に向けた改良が進められてきた。また、長時間使用や高速化・多機能化等にも対応できるように、内蔵バッテリの性能向上も図られてきた。
【０００３】
ところで、ノートパソコンでは、その多機能化のため、ＣＤ／ＤＶＤドライブ、ハードディスクドライブ（ＨＤＤ）、予備バッテリといった装置（拡張ユニット）が所定の形態で用意されている。そして、そのような拡張ユニットを、例えばノートパソコンに外付けした所定の拡張装置に装着することにより、装着された拡張ユニットの機能をそのノートパソコンに付加することができるようになっている（例えば、特許文献１，２参照。）。また、ノートパソコンが備える拡張ベイにそのような拡張ユニットを装着することにより、その機能をそのノートパソコンに付加することができるようになっているものもある（例えば、特許文献３参照。）。
【特許文献１】特開２００１−１２５６８８号公報
【特許文献２】特開２０００−２１４９５３号公報
【特許文献３】特開２００１−１２５６８０号公報
【発明の開示】
【発明が解決しようとする課題】
【０００４】
ノートパソコンを携帯する際の電源は、主に内蔵バッテリや予備バッテリであるが、近年のバッテリ性能の向上によってその動作時間は長くなってきているものの、未だ携帯時にはノートパソコンと一緒に付属のＡＣアダプタが携帯されることも多い。しかし、ＡＣアダプタは、通常、プラグ、ケーブルおよび本体で構成されていて、主にその形状や寸法から、その収納性が悪く、ノートパソコンとの携帯に向いているとは言いがたい。
【０００５】
ここでは、ノートパソコンを例にして述べたが、このようなアダプタ携帯時の問題は、アダプタを介した電源供給が行えるその他の携帯型情報処理装置等の電子機器で同様に起こり得る。
【０００６】
本発明はこのような点に鑑みてなされたものであり、電子機器との携帯性に優れたアダプタを提供することを目的とする。
また、本発明は、アダプタを含めその携帯性に優れた電子機器を提供することを目的とする。
【課題を解決するための手段】
【０００７】
本発明では上記課題を解決するために、電子機器に外部から電源を供給するためのアダプタにおいて、前記電子機器が備える拡張ベイに装着可能であることを特徴とするアダプタが提供される。
【０００８】
このようなアダプタによれば、電子機器の拡張ベイに装着可能としたため、例えばそのアダプタを拡張ベイに装着することにより、電子機器と一緒に携帯するような場合におけるアダプタの携帯性の向上が図られるようになる。また同時に、アダプタを一緒に携帯するような場合における電子機器の携帯性の向上が図られるようになる。
【０００９】
また、本発明では、拡張ベイを備えた電子機器において、前記拡張ベイに装着可能なアダプタが接続されて外部から電源が供給されることを特徴とする電子機器が提供される。
このような電子機器によれば、アダプタが拡張ベイに装着可能であり、例えばそのアダプタが拡張ベイに装着されることによって、その電子機器に外部から電源が供給される。アダプタを拡張ベイに装着するようにすれば、アダプタを一緒に携帯するような場合における、電子機器のアダプタを含めたその携帯性の向上が図られるようになる。
【発明の効果】
【００１０】
本発明では、電子機器に外部から電源を供給するためのアダプタを、その電子機器が備える拡張ベイに装着できるようにした。これにより、アダプタの携帯性を向上させることが可能になると共に、アダプタを一緒に携帯するような場合における、電子機器のアダプタを含めたその携帯性を向上させることが可能になる。
【発明を実施するための最良の形態】
【００１１】
以下、本発明の実施の形態を、携帯型情報処理装置を例に、図面を参照して詳細に説明する。
図１は携帯型情報処理装置の概略図である。
【００１２】
図１に示す携帯型情報処理装置１は、例えばノートパソコンであり、各種データの処理を行うデータ処理部２、携帯型情報処理装置１の動作電源として使用可能な標準搭載の二次電池（標準搭載二次電池）３、およびＡＣアダプタが接続可能な外部ＤＣ電源入力端子４を有している。さらに、この携帯型情報処理装置１は、種々の拡張ユニットが挿入可能な拡張ベイ５を有している。
【００１３】
データ処理部２は、例えば次のような構成とすることができる。図２はデータ処理部の構成例である。
データ処理部２は、例えば、ＣＰＵ２ａ、ＲＯＭ２ｂ、ＲＡＭ２ｃ、内蔵ＨＤＤ２ｄ、オーディオ処理部２ｅ、映像処理部２ｆ、入出力インタフェース２ｇ、通信インタフェース２ｈ等を含み、これらがバス２ｉを介して接続される。
【００１４】
なお、ＣＰＵ２ａは、内蔵ＨＤＤ２ｄ等に格納されているプログラムやデータに応じて処理を実行する。ＲＯＭ２ｂは、ＣＰＵ２ａが実行する基本的なプログラムやデータを格納する。ＲＡＭ２ｃは、ＣＰＵ２ａが実行途中のプログラムやデータを格納する。内蔵ＨＤＤ２ｄには、ＣＰＵ２ａが実行するＯＳやアプリケーションプログラム、各種データが格納される。オーディオ処理部２ｅは、ＣＰＵ２ａからの再生命令に従ってスピーカ等に音を出力する。映像処理部２ｆは、ＣＰＵ２ａからの描画命令に従ってディスプレイ等の画面上に画像を表示する。入出力インタフェース２ｇには、マウス等が接続され、これらによって入力情報を受信し、バス２ｉを介してＣＰＵ２ａに転送する。通信インタフェース２ｈは、ＬＡＮやインターネット接続のためのインタフェースである。
【００１５】
携帯型情報処理装置１の標準搭載二次電池３は、データ処理部２にＤＣ電源を供給し、この携帯型情報処理装置１を動作させることができるようになっている。
この標準搭載二次電池３には、例えばリチウムイオン電池を用いることができ、ここでは、容量のメモリ効果が抑えられており、さらに、単電池に過充電や過放電を防止する電子回路が組み込まれているパック電池を用いる。そのような電子回路を組み込んだ標準搭載二次電池３を用いると、携帯型情報処理装置１本体側（標準搭載二次電池３を除いた部分。）に充放電の制御を行う回路を組み込む必要がなく、標準搭載二次電池３が外部ＤＣ電源に接続されていれば足りる。このような標準搭載二次電池３に、例えばＡＣアダプタからＤＣ電源が供給されていれば、その電池残量に応じ、標準搭載二次電池３への充電または標準搭載二次電池３から携帯型情報処理装置１本体側へのＤＣ電源の供給が行われるようになる。
【００１６】
また、携帯型情報処理装置１の拡張ベイ５は、各種拡張ユニットが脱着できるように構成されており、携帯型情報処理装置１は、その動作中にも拡張ベイ５に対して拡張ユニットの脱着が行えるような回路構成になっている。
【００１７】
拡張ベイ５には、ＣＤ／ＤＶＤドライブ、拡張ＨＤＤ、予備バッテリ（拡張二次電池）、フレキシブルディスクドライブ（ＦＤＤ）、ＵＳＢメモリやコンパクトフラッシュ（ＣＦ）（登録商標）等の記録媒体用リーダライタ等の各種拡張ユニットが脱着できるようになっている。さらに、ここでは、このような拡張ベイ５に脱着可能な拡張ユニットのひとつにＡＣアダプタを加えている。なお、このようなＡＣアダプタの詳細については後述する。
【００１８】
携帯型情報処理装置１は、拡張ユニットが拡張ベイ５に挿入されたときに、その拡張ユニットに設けられている後述の汎用接続端子と、拡張ベイ５に設けられている汎用接続端子５ａが接続されることによって、携帯型情報処理装置１とその拡張ユニットが接続されるようになっている。携帯型情報処理装置１と拡張ユニットが接続されることによって、拡張ベイ５に装着された拡張ユニット（拡張二次電池およびＡＣアダプタは除く。）への動作電源の供給、拡張ユニット（拡張二次電池およびＡＣアダプタは除く。）とデータ処理部２の間のオーディオ信号や映像信号等のデータ転送、拡張ベイ５に拡張二次電池またはＡＣアダプタが装着されている場合における標準搭載二次電池３やデータ処理部２等へのＤＣ電源の供給等が可能になっている。
【００１９】
また、携帯型情報処理装置１の外部ＤＣ電源入力端子４は、拡張ベイ５に設けた汎用接続端子５ａと携帯型情報処理装置１内部で結線されている。外部ＤＣ電源入力端子４は、標準搭載二次電池３に接続されることにより、そこからデータ処理部２等へＤＣ電源の供給が行えるようになっている。その際、標準搭載二次電池３の残量が少ない場合には、標準搭載二次電池３への充電が行われる。また、この外部ＤＣ電源入力端子４は、拡張ベイ５の汎用接続端子５ａに接続されていることにより、拡張ベイ５に拡張二次電池が装着されたときには、外部からその拡張二次電池への充電も行えるようになっている。
【００２０】
続いて、上記のような携帯型情報処理装置１の拡張ベイ５に脱着可能なＡＣアダプタについて説明する。
図３はＡＣアダプタの構成例を示す図であって、（Ａ）は平面模式図、（Ｂ）は正面模式図、（Ｃ）は側面模式図である。また、図４は汎用接続端子の構成例を示す図である。
【００２１】
図３に示すＡＣアダプタ１０は、ＣＤ／ＤＶＤドライブ、拡張ＨＤＤ、拡張二次電池、等の他の拡張ユニットと同じく、上記図１に示した携帯型情報処理装置１の拡張ベイ５に脱着可能な形状および寸法で構成される。
【００２２】
ＡＣアダプタ１０は、これに商用のＡＣ電源を引き込むためのＡＣケーブル１１（図３（Ａ）にのみ図示。）が接続されるＡＣ入力端子１２と、前述のように拡張ベイ５に挿入されたときにその汎用接続端子５ａと接続される汎用接続端子１３を有している。この汎用接続端子１３は、ＡＣアダプタ１０のほか、他の拡張ユニット、すなわちＣＤ／ＤＶＤドライブ、拡張ＨＤＤ、拡張二次電池等の拡張ユニットにも共通に用いられる。
【００２３】
ここで、汎用接続端子１３は、例えば図４に示すように、拡張ベイ５に装着された拡張ユニット（拡張二次電池およびＡＣアダプタ１０は除く。）への動作電源の供給、および拡張ユニット（拡張二次電池およびＡＣアダプタ１０は除く。）とデータ処理部２の間のデータ転送という２つの機能を備えた端子１３ａを有している。このような端子１３ａは、例えば、１２Ｖ給電とＡＴＡＰＩ規格のインタフェースによって実現することができる。さらに、汎用接続端子１３は、そのような端子１３ａのほか、拡張ユニットが拡張二次電池やＡＣアダプタ１０である場合のそれらのＤＣ電源入出力用の端子１３ｂを有している。
【００２４】
一方、拡張ベイ５の汎用接続端子５ａは、このような拡張ユニットの汎用接続端子１３とオスメスの接続関係になっており、端子１３ａに対応する部分に上記のような拡張ユニットへの動作電源の供給や拡張ユニットとの間のデータ転送のための端子を有し、端子１３ｂに対応する部分に上記のようなＤＣ電源入出力用の端子を有している。
【００２５】
このように、ＡＣアダプタ１０を、拡張ベイ５に脱着可能な形状および寸法とし、かつ、他の拡張ユニットと共通の汎用接続端子１３を有する構成とすることにより、このＡＣアダプタ１０は、他の拡張ユニットと同じく拡張ベイ５への装着が可能になっている。
【００２６】
図５は拡張ユニットの拡張ベイへの脱着の説明図である。
上記図３および図４に示したような汎用接続端子１３を備えたＡＣアダプタ１０を含む各拡張ユニットは、図５に示すように、携帯型情報処理装置１の拡張ベイ５に挿入され、汎用接続端子１３と拡張ベイ５側の汎用接続端子５ａが接続される。それにより、装着された拡張ユニットへの動作電源の供給や拡張ユニットとの間のデータ転送のほか、拡張ベイ５からのＤＣ電源出力あるいは拡張ベイ５へのＤＣ電源入力が可能な状態になる。
【００２７】
例えば、拡張ベイ５に装着された拡張ユニットがＣＤ／ＤＶＤドライブ２０や拡張ＨＤＤ２１等である場合には、図４に示した端子１３ａとそれに対応する拡張ベイ５側の端子部分のみが利用され、そこを介して、ＣＤ／ＤＶＤドライブ２０等への動作電源の供給や、データ処理部２とＣＤ／ＤＶＤドライブ２０等の間のデータ転送が行われる。また、拡張ベイ５に装着された拡張ユニットが拡張二次電池３０やＡＣアダプタ１０である場合には、図４に示した端子１３ｂとそれに対応する拡張ベイ５側の端子部分のみが利用され、そこを介して、拡張二次電池３０やＡＣアダプタ１０からのＤＣ電源出力や、拡張二次電池３０へのＤＣ電源入力（充電）が行われる。
【００２８】
なお、このようにＡＣアダプタ１０を拡張ベイ５に装着可能な構成とする場合には、携帯型情報処理装置１の種類や携帯型情報処理装置１内での拡張ベイ５の配置等を考慮し、必要に応じて、ＡＣアダプタ１０側あるいは携帯型情報処理装置１側に、電磁気シールドを施したり放熱機構を設けたりするようにしてもよい。
【００２９】
以下に、上記ＡＣアダプタ１０を用いた携帯型情報処理装置１の構成例について具体的に説明する。
図６は拡張ベイにＡＣアダプタを装着した場合の構成例を示す図である。
【００３０】
この図６に示す携帯型情報処理装置１の拡張ベイ５に挿入されたＡＣアダプタ１０は、その汎用接続端子１３が拡張ベイ５側の汎用接続端子５ａと接続される。このＡＣアダプタ１０のＡＣ入力端子１２には、ＡＣケーブル１１が接続され、それを介してＡＣ電源が供給される。ＡＣアダプタ１０からは、図４に示した端子１３ｂとそれに対応する拡張ベイ５側の端子部分が利用されて、標準搭載二次電池３やデータ処理部２等にＤＣ電源が供給される。ＡＣアダプタ１０は、データ処理部２等へ標準搭載二次電池３を介してＤＣ電源の供給を行い所定のデータ処理を実行させると共に、標準搭載二次電池３の残量が少ない場合にはそれを充電する。
【００３１】
なお、ＡＣケーブル１１は、拡張ベイ５にＡＣアダプタ１０を装着した携帯型情報処理装置１の持ち運びの際には取り外しておき、移動先にて一端側をＡＣ入力端子１２に、他端側を商用ＡＣ電源に、それぞれ接続すればよい。もちろん、ＡＣケーブル１１の一端側をＡＣ入力端子１２に接続したまま携帯型情報処理装置１を持ち運んでも構わない。
【００３２】
この図６に示したように、ＡＣアダプタ１０を拡張ベイ５に装着することにより、ＡＣアダプタ１０自体の携帯性を向上させることが可能になると共に、ＡＣアダプタ１０を含めた携帯型情報処理装置１の全体的な携帯性を向上させることが可能になる。
【００３３】
図７は拡張ベイにＣＤ／ＤＶＤドライブを装着した場合の構成例を示す図である。
この図７に示す携帯型情報処理装置１の拡張ベイ５には、上記のような汎用接続端子１３を備えたＣＤ／ＤＶＤドライブ２０が装着されている。拡張ベイ５では、拡張ベイ５側とＣＤ／ＤＶＤドライブ２０側の汎用接続端子５ａ，１３同士が接続され、携帯型情報処理装置１は、ＣＤ／ＤＶＤドライブ２０への動作電源の供給、およびＣＤ／ＤＶＤドライブ２０とデータ処理部２の間のデータ転送が可能な状態になっている。
【００３４】
このような構成の携帯型情報処理装置１に、外部からＤＣ電源を供給するため、ここでは上記図３および図４に示したＡＣアダプタ１０を用いる。その場合、図７に示したように、ＡＣアダプタ１０の汎用接続端子１３と携帯型情報処理装置１の外部ＤＣ電源入力端子４とを専用接続ケーブル１４で接続する。
【００３５】
ＡＣアダプタ１０の汎用接続端子１３側に接続される専用接続ケーブル１４の接続端子１４ａは、拡張ベイ５に設けた汎用接続端子５ａと同様の構成とすればよく、あるいは、少なくとも図４に示したＤＣ電源入出力用の端子１３ｂに対応する端子を有する構成とする。
【００３６】
また、携帯型情報処理装置１の外部ＤＣ電源入力端子４側に接続される専用接続ケーブル１４の接続端子１４ｂは、例えば次の図８に示すような構成とすればよい。図８は接続端子の外観図であって、（Ａ）は側面模式図、（Ｂ）は正面模式図である。接続端子１４ｂは、この図８に示すような一般的な差込型の端子とすることが可能である。
【００３７】
ＡＣアダプタ１０の汎用接続端子１３と外部ＤＣ電源入力端子４の間を専用接続ケーブル１４で接続することにより、携帯型情報処理装置１にＤＣ電源が供給される。外部ＤＣ電源入力端子４は、拡張ベイ５に設けた汎用接続端子５ａと携帯型情報処理装置１内部で結線されている。そのため、ＡＣアダプタ１０を外部接続としても、拡張ベイ５にＡＣアダプタ１０を装着した場合と同様、標準搭載二次電池３を介したデータ処理部２等へのＤＣ電源の供給や標準搭載二次電池３の充電が行われる。
【００３８】
図９は拡張ベイに拡張二次電池を装着した場合の構成例を示す図である。
この図９に示す携帯型情報処理装置１の拡張ベイ５には、上記のような汎用接続端子１３を備えた拡張二次電池３０が装着されている。拡張ベイ５では、拡張ベイ５側と拡張二次電池３０側の汎用接続端子５ａ，１３同士が接続され、拡張二次電池３０から標準搭載二次電池３やデータ処理部２等へＤＣ電源の供給が行われる。
【００３９】
このような構成の携帯型情報処理装置１にＡＣアダプタ１０を接続する場合には、ＡＣアダプタ１０の汎用接続端子１３と外部ＤＣ電源入力端子４を、上記図７および図８に示したような接続端子１４ａ，１４ｂを備える専用接続ケーブル１４で接続する。外部ＤＣ電源入力端子４は、拡張ベイ５に設けた汎用接続端子５ａと携帯型情報処理装置１内部で結線されているため、ＡＣアダプタ１０を外部接続としても、拡張ベイ５にＡＣアダプタ１０を装着した場合と同様にＤＣ電源の供給が行われる。
【００４０】
すなわち、ＡＣアダプタ１０は、データ処理部２等へ標準搭載二次電池３を介してＤＣ電源の供給を行い、また、標準搭載二次電池３の残量が少ない場合にはそれを充電する。さらに、ＡＣアダプタ１０は、拡張二次電池３０の残量が少ない場合にも、それを充電することができるようになっている。
【００４１】
なお、拡張ベイ５に装着する拡張二次電池３０には、標準搭載二次電池３と同様、容量のメモリ効果が抑えられており、単電池に過充電や過放電を防止する電子回路が組み込まれているものを用いることができる。
【００４２】
以上説明したように、ここでは携帯型情報処理装置１の拡張ベイ５に装着可能なＡＣアダプタ１０を構成し、それをＣＤ／ＤＶＤドライブ２０、拡張ＨＤＤ２１、拡張二次電池３０等の他の拡張ユニット同様に拡張ベイ５に脱着できるようにした。
【００４３】
ＡＣアダプタ１０をそのような構成とすることにより、ＡＣアダプタ１０自体の携帯性を向上させることが可能になる。また、拡張ベイ５にＡＣアダプタ１０を装着することにより、携帯型情報処理装置１に従来付属していたような一般的な形態のＡＣアダプタと一緒に持ち運ぶのに比べ、ＡＣアダプタ１０を含めた携帯型情報処理装置１の携帯性を向上させることが可能になる。
【００４４】
さらに、このようなＡＣアダプタ１０は、従来のＡＣアダプタに比べ、その重量が著しく増加することはなく、ＡＣアダプタ１０を含めた携帯型情報処理装置１の携帯性を、それらの総重量を大きく変化させることなく、向上させることが可能になる。
【００４５】
また、このようなＡＣアダプタ１０は、従来のＡＣアダプタと同様、携帯型情報処理装置１に外部接続することも可能であるため、ＡＣアダプタ１０を外部接続とし拡張ベイ５には他の拡張ユニットを装着するといったように、携帯型情報処理装置１をその使用環境や使用目的に応じて様々な形態で使用することが可能である。
【００４６】
なお、以上の説明では、拡張ベイ５に装着したＡＣアダプタ１０または外部ＤＣ電源入力端子４に接続されたＡＣアダプタ１０から標準搭載二次電池３を介してデータ処理部２へＤＣ電源を供給するようにしたが、ＡＣアダプタ１０から標準搭載二次電池３を介さず直接データ処理部２へＤＣ電源を供給する構成としてもよい。その場合は、ＡＣアダプタ１０からデータ処理部２へのＤＣ電源の供給と共に、ＡＣアダプタ１０から標準搭載二次電池３や拡張ベイ５に装着された拡張二次電池に充電が行えるような構成とする。また、その場合、必要に応じ、過充電や過放電を防止するための電子回路を携帯型情報処理装置１に組み込むようにする。
【００４７】
また、以上の説明では、ノートパソコンのような携帯型情報処理装置１を例にして述べたが、上記のようなアダプタは、拡張ベイを備えかつアダプタを介した電源供給が行える種々の電子機器について同様に適用可能であり、特に携帯型の電子機器に好適である。
【００４８】
（付記１）  電子機器に外部から電源を供給するためのアダプタにおいて、
前記電子機器が備える拡張ベイに装着可能であることを特徴とするアダプタ。
（付記２）  前記アダプタは、前記拡張ベイに装着可能な他の装置と同一構成の接続端子を有していることを特徴とする付記１記載のアダプタ。
【００４９】
（付記３）  前記接続端子は、
前記他の装置と前記電子機器との通信用および前記電子機器から前記他の装置への電源供給用の端子と、前記電子機器の電源入出力用の端子と、を有することを特徴とする付記２記載のアダプタ。
【００５０】
（付記４）  前記電子機器の前記拡張ベイ外に接続して前記電子機器に外部から電源を供給することができるようにしたことを特徴とする付記１記載のアダプタ。
（付記５）  拡張ベイを備えた電子機器において、
前記拡張ベイに装着可能なアダプタが接続されて外部から電源が供給されることを特徴とする電子機器。
【００５１】
（付記６）  前記アダプタは、前記拡張ベイに脱着可能であって、前記アダプタが前記拡張ベイに装着されて外部から電源が供給されることを特徴とする付記５記載の電子機器。
【００５２】
（付記７）  前記拡張ベイに、前記拡張ベイとの通信用および前記拡張ベイへの電源供給用の端子と、電源入出力用の端子と、を有する接続端子を備えることを特徴とする付記５記載の電子機器。
【００５３】
（付記８）  前記アダプタは、前記拡張ベイの接続端子に対応する接続端子を有し、
前記アダプタが前記拡張ベイに装着されたときに、前記拡張ベイの接続端子と前記アダプタの接続端子とが接続され、前記電源入出力用の端子を用いて外部から電源が供給されることを特徴とする付記７記載の電子機器。
【００５４】
（付記９）  前記拡張ベイに前記アダプタの接続端子と同一構成の接続端子を備えた他の装置が装着可能になっていることを特徴とする付記８記載の電子機器。
（付記１０）  前記拡張ベイ外に前記アダプタが接続可能な入力端子を備え、
前記入力端子に前記アダプタが接続されて外部から電源が供給されることを特徴とする付記５記載の電子機器。
【００５５】
（付記１１）  前記入力端子は、前記拡張ベイに装着された前記アダプタから電源が供給されるときの端子に結線されていることを特徴とする付記１０記載の電子機器。
（付記１２）  動作電源用の二次電池を備え、
前記アダプタが接続されて外部から電源が供給されたときに前記二次電池が充電されることを特徴とする付記５記載の電子機器。
【００５６】
（付記１３）  動作電源用の二次電池を備え、
前記二次電池の電源による動作中に、前記アダプタを含む前記拡張ベイに装着可能な装置の交換が行えることを特徴とする付記５記載の電子機器。
【図面の簡単な説明】
【００５７】
【図１】携帯型情報処理装置の概略図である。
【図２】データ処理部の構成例である。
【図３】ＡＣアダプタの構成例を示す図であって、（Ａ）は平面模式図、（Ｂ）は正面模式図、（Ｃ）は側面模式図である。
【図４】汎用接続端子の構成例を示す図である。
【図５】拡張ユニットの拡張ベイへの脱着の説明図である。
【図６】拡張ベイにＡＣアダプタを装着した場合の構成例を示す図である。
【図７】拡張ベイにＣＤ／ＤＶＤドライブを装着した場合の構成例を示す図である。
【図８】接続端子の外観図であって、（Ａ）は側面模式図、（Ｂ）は正面模式図である。
【図９】拡張ベイに拡張二次電池を装着した場合の構成例を示す図である。
【符号の説明】
【００５８】
１  携帯型情報処理装置
２  データ処理部
２ａ  ＣＰＵ
２ｂ  ＲＯＭ
２ｃ  ＲＡＭ
２ｄ  内蔵ＨＤＤ
２ｅ  オーディオ処理部
２ｆ  映像処理部
２ｇ  入出力インタフェース
２ｈ  通信インタフェース
２ｉ  バス
３  標準搭載二次電池
４  外部ＤＣ電源入力端子
５  拡張ベイ
５ａ，１３  汎用接続端子
１０  ＡＣアダプタ
１１  ＡＣケーブル
１２  ＡＣ入力端子
１３ａ，１３ｂ  端子
１４  専用接続ケーブル
１４ａ，１４ｂ  接続端子
２０  ＣＤ／ＤＶＤドライブ
２１  拡張ＨＤＤ
３０  拡張二次電池
【図１】
2007264915.tif 000003
【図２】
2007264915.tif 000004
【図３】
2007264915.tif 000005
【図４】
2007264915.tif 000006
【図５】
2007264915.tif 000007
【図６】
2007264915.tif 000008
【図７】
2007264915.tif 000009
【図８】
2007264915.tif 000010
【図９】
2007264915.tif 000011